(57)【特許請求の範囲】
【請求項１】
（Ａ）軸方向の一方の側に配管用チューブの接続部を有するとともに、軸方向の他方の側にリテーナ保持部を備えたコネクタハウジングを有する筒状のコネクタ本体と、（Ｂ）該リテーナ保持部に対して軸直角方向に装着され、該軸直角方向の後退位置で、外周面に環状に突出した鍔状部を有する相手パイプを前記コネクタハウジングに対して接続位置まで挿入可能とするとともに、軸直角方向の嵌込完了位置である押込位置で該相手パイプを抜止状態にロックするリテーナと、を有し、且つ該リテーナには、(a)基部と、(b)該基部から軸直角方向に延び出し、該リテーナの前記押込位置で前記相手パイプの鍔状部の挿入側とは反対側の後面に当接して該相手パイプを抜け止めする抜止脚と、(c)該基部から該抜止脚と同じ方向に延び出した一対の弾性脚と、(d)それら一対の弾性脚の各端部に設けられ、前記リテーナの後退位置では前記リテーナ保持部に設けられた第１掛止部に対して、該リテーナの押込方向に掛止して該リテーナの押込方向の移動を阻止する第１掛止爪と、(e)前記押込位置では前記リテーナ保持部に設けられた第２掛止部に対して該リテーナの後退方向に掛止して、該リテーナの前記後退位置に向けての移動を阻止する第２掛止爪と、(f)前記相手パイプの挿入時に前記鍔状部の前面に当接して前記弾性脚を、前記第１掛止爪が前記第１掛止部に対して掛止解除する方向に弾性変形させ、前記リテーナを前記押込方向に移動可能とする掛止解除部と、(g)前記リテーナの前記後退位置で、前記リテーナ保持部に設けられた第３掛止部に対して該リテーナの軸直角方向外方への抜け方向に掛止して該リテーナの抜出しを防止する第３掛止爪と、が備えられて成るクイックコネクタにおいて、
前記第３掛止爪を前記抜止脚の端部に設けるとともに、前記第３掛止部を、該第３掛止爪に対応した位置において前記リテーナ保持部に設け、
前記リテーナ保持部には、前記抜止脚を軸直角方向に前記リテーナ保持部の内部に挿入させる貫通の窓部を設けるとともに、前記第３掛止爪を軸方向に突出した形態で設け、該窓部の該第３掛止爪の突出側の縁部の一部を前記第３掛止部として構成したことを特徴とするクイックコネクタ。
【請求項２】
請求項１において、前記抜止脚は軸方向に弾性を有する弾性脚となしてあるとともに、前記窓部には、前記第３掛止爪の突出側とは反対側に該抜止脚を軸方向に弾性変形させることによって該抜止脚を前記リテーナ保持部の内部に挿入させる該抜止脚の弾性変形空間が形成してあることを特徴とするクイックコネクタ。
【請求項３】
請求項２において、前記第３掛止爪には、前記窓部への軸直角方向の挿入時に該窓部の縁部への当接により前記抜止脚をカム作用で前記第３掛止爪の突出方向とは反対方向に弾性変形させるカム部が設けてあることを特徴とするクイックコネクタ。
【発明の詳細な説明】
【技術分野】
【０００１】
この発明は配管用チューブと相手パイプとを迅速に接続することのできるクイックコネクタに関する。
【背景技術】
【０００２】
従来より、配管用チューブを相手パイプと接続するための接続器具としてクイックコネクタが広く用いられている。
このクイックコネクタには様々な種類，形態のものが知られているが、その一つとして、軸方向の一方の側に配管用チューブの接続部を有し、また他方の側にコネクタハウジングを有する筒状のコネクタ本体のリテーナ保持部に、リテーナを軸直角方向に装着し、そしてリテーナを軸直角方向の後退位置に位置させた状態で、相手パイプを接続位置（挿入完了位置）まで挿入可能とするとともに、リテーナを軸直角方向の嵌込完了位置である押込位置に位置させた状態で相手パイプを抜止状態にロックするようになしたものが知られている。
【０００３】
例えば下記特許文献１にこの種のクイックコネクタが開示されている。
図１９はその具体例を示している。
図において２００は配管用チューブを接続すべき相手パイプで、先端から所定距離離れた位置の外周面に、環状に突出した形態の鍔状部２０２が設けられている。
２０４はクイックコネクタで、このクイックコネクタ２０４は筒状をなすコネクタ本体２０６と、相手パイプ２００の抜止めをなすリテーナ２０８とを有している。
コネクタ本体２０６は、軸方向の一方の側に配管用チューブとの接続部２０９を有し、また他方の側にリテーナ保持部２１０を備えたコネクタハウジング２１２を有している。
このコネクタ本体２０６は、軸端に相手パイプ２００の挿入用の開口２１４を備えている。
【０００４】
リテーナ２０８は、コネクタ本体２０６のリテーナ保持部２１０に軸直角方向に装着され、その軸直角方向の後退位置で、コネクタハウジング２１２に対して相手パイプ２００を接続位置まで挿入可能とするとともに、軸直角方向の押込位置、即ち嵌込完了位置で相手パイプ２００を抜止状態にロックするもので、このリテーナ２０８は、基部２１６と、基部２１６から軸直角方向に延び出した一対の抜止脚２１８と、基部２１６から抜止脚２１８と同じ方向に延び出した一対の弾性脚２２０とを有している。
【０００５】
ここで一対の弾性脚２２０は軸直角方向に拡開・収縮可能、即ち互いに接近し又は離間する方向に弾性変形可能とされている。
これら一対の弾性脚２２０の各先端部には、互いに軸直角方向の内向きに突出する爪２２２が設けられている。またこれら爪２２２にはカム部（掛止解除部）２２４が設けられている。
【０００６】
このクイックコネクタ２０４は、次のようにして配管用チューブと相手パイプ２００とを接続する。
リテーナ２０８は、コネクタ本体２０６のリテーナ保持部２１０に対し軸直角方向に装着され、そして相手パイプ２００を挿入する前の状態では、リテーナ保持部２１０において軸直角方向の後退位置に保持されている。
【０００７】
このときリテーナ２０８の内向きの爪２２２は、リテーナ保持部２１０に設けられた第１掛止部２２６，第３掛止部２２８の何れに対しても掛止した状態にあり、図中下方向にもまた上方向にも動きが拘束された状態にある。
即ちリテーナ２０８は、爪２２２の第１掛止部２２６に対する掛止によって下向きへの移動、即ち嵌込完了位置である押込位置に向けての移動が阻止され、また第３掛止部２２８への掛止によって上向きへの移動、即ちリテーナ保持部２１０から軸直角方向外方に抜け出す方向にも移動が阻止された状態にある。
【０００８】
この状態で相手パイプ２００を開口２１４を通じて接続位置までコネクタハウジング２１２の内部に挿入する（このときリテーナ２０８の抜止脚２１８は相手パイプ２００の鍔状部２０２の通過を許容する）。
而して相手パイプ２００を接続位置まで挿入すると、その過程で爪２２２に設けたカム部２２４が、相手パイプ２００の鍔状部２０２の前面（図中Ｐで表す挿入方向の側の面）に当接して、カム作用で一対の弾性脚２２０を押し開き、爪２２２と第１掛止部２２６との掛止を解除する。尚このとき、爪２２２と第３掛止部２２８との掛止も同時に解除される。
この状態でリテーナ２０８は下向きに押込み可能な状態となる。
そこでリテーナ２０８を下向きに押し込んで、嵌込完了位置である押込位置で押し込むと、ここにおいて一対の抜止脚２１８が相手パイプ２００の鍔状部２０２の後面に当接した状態となって、相手パイプ２００の抜けを阻止する。即ち相手パイプ２００をコネクタ本体２０６から抜止状態にロックする。
この押込位置では、リテーナ２０８の爪２２２がリテーナ保持部２１０の第２掛止部２３０に掛止した状態となって、リテーナ２０８がその押込位置に保持される。
【０００９】
しかしながらこのクイックコネクタ２０４では、リテーナ２０８の爪２２２が、軸直角方向の後退位置においてリテーナ保持部２１０の第１掛止部２２６に対する第１掛止爪として働くのみならず、第３掛止部２２８に対して掛止する第３掛止爪としても働くため、相手パイプ２００の挿入前においてはリテーナ２０８がリテーナ保持部２１０から軸直角方向外方に抜け出してしまうことを防止できるものの、相手パイプ２００を挿入して鍔状部２０２が爪２２２のカム部２２４のカム作用で一対の弾性脚２２０を押し開いてしまうと、爪２２２の第３掛止部２３０に対する掛止が解除されてしまい、従ってその状態でリテーナ２０８に対し軸直角方向外方の引張力が働くと、リテーナ２０８がリテーナ保持部２１０から外れてしまうといった問題を生ずる。
【００１０】
【特許文献１】特開２００４−２５１３１９号公報
【発明の開示】
【発明が解決しようとする課題】
【００１１】
本発明は以上のような事情を背景とし、相手パイプの挿入によりリテーナ側の第１掛止爪と、リテーナ保持部側の第１掛止部との掛止が解除された場合においても、リテーナがリテーナ保持部から軸直角方向の外方に抜け出してしまうのを確実に防止することのできるクイックコネクタを提供することを目的としてなされたものである。
【課題を解決するための手段】
【００１２】
而して請求項１のものは、（Ａ）軸方向の一方の側に配管用チューブの接続部を有するとともに、軸方向の他方の側にリテーナ保持部を備えたコネクタハウジングを有する筒状のコネクタ本体と、（Ｂ）該リテーナ保持部に対して軸直角方向に装着され、該軸直角方向の後退位置で、外周面に環状に突出した鍔状部を有する相手パイプを前記コネクタハウジングに対して接続位置まで挿入可能とするとともに、軸直角方向の嵌込完了位置である押込位置で該相手パイプを抜止状態にロックするリテーナと、を有し、且つ該リテーナには、(a)基部と、(b)該基部から軸直角方向に延び出し、該リテーナの前記押込位置で前記相手パイプの鍔状部の挿入側とは反対側の後面に当接して該相手パイプを抜け止めする抜止脚と、(c)該基部から該抜止脚と同じ方向に延び出した一対の弾性脚と、(d)それら一対の弾性脚の各端部に設けられ、前記リテーナの後退位置では前記リテーナ保持部に設けられた第１掛止部に対して、該リテーナの押込方向に掛止して該リテーナの押込方向の移動を阻止する第１掛止爪と、(e)前記押込位置では前記リテーナ保持部に設けられた第２掛止部に対して該リテーナの後退方向に掛止して、該リテーナの前記後退位置に向けての移動を阻止する第２掛止爪と、(f)前記相手パイプの挿入時に前記鍔状部の前面に当接して前記弾性脚を、前記第１掛止爪が前記第１掛止部に対して掛止解除する方向に弾性変形させ、前記リテーナを前記押込方向に移動可能とする掛止解除部と、(g)前記リテーナの前記後退位置で、前記リテーナ保持部に設けられた第３掛止部に対して該リテーナの軸直角方向外方への抜け方向に掛止して該リテーナの抜出しを防止する第３掛止爪と、が備えられて成るクイックコネクタにおいて、前記第３掛止爪を前記抜止脚の端部に設けるとともに、前記第３掛止部を、該第３掛止爪に対応した位置において前記リテーナ保持部に設け、前記リテーナ保持部には、前記抜止脚を軸直角方向に前記リテーナ保持部の内部に挿入させる貫通の窓部を設けるとともに、前記第３掛止爪を軸方向に突出した形態で設け、該窓部の該第３掛止爪の突出側の縁部の一部を前記第３掛止部として構成したことを特徴とする。
【００１３】
請求項２のものは、請求項１において、前記抜止脚は軸方向に弾性を有する弾性脚となしてあるとともに、前記窓部には、前記第３掛止爪の突出側とは反対側に該抜止脚を軸方向に弾性変形させることによって該抜止脚を前記リテーナ保持部の内部に挿入させる該抜止脚の弾性変形空間が形成してあることを特徴とする。
【００１４】
請求項３のものは、請求項２において、前記第３掛止爪には、前記窓部への軸直角方向の挿入時に該窓部の縁部への当接により前記抜止脚をカム作用で前記第３掛止爪の突出方向とは反対方向に弾性変形させるカム部が設けてあることを特徴とする。
【発明の作用・効果】
【００１５】
上記のように相手パイプの挿入完了状態でリテーナがリテーナ保持部から外れてしまうのは、リテーナの軸直角方向外方への外れ防止を成す第３掛止爪を第１掛止部に対して掛止する第１掛止爪を供えた弾性脚の側に設けていることに起因して生ずるものである。
【００１６】
ここにおいて本発明は、かかるリテーナの外れ防止のための第３掛止爪を抜止脚の側に設けたもので、かかる本発明は、相手パイプの挿入時に抜止脚が相手パイプによって変形を受けないことに着眼し、かかる抜止脚に抜け防止用の第３掛止爪を設けたもので、本発明によれば、相手パイプの挿入完了状態でリテーナを押込位置まで押込可能とするために第１掛止爪を第１掛止部に対して掛止解除した場合においても、第３掛止爪は第３掛止部に対し掛止解除されることはなく、従ってリテーナを押込位置まで嵌込可能となす一方で、反対方向への抜けを確実に防止することが可能となる。
【００１７】
ここで前記一対の弾性脚は、互いに接近し又は離間する方向に軸直角方向に弾性的に拡開又は収縮するものとなしておくことができる。
この場合において上記第１掛止爪，第２掛止爪は軸直角方向に突出した形態となし、また第１掛止部，第２掛止部をそれら第１掛止爪，第２掛止爪に対応する向きで設けておくことができる。
また上記掛止解除部は、上記鍔状部の前面への当接によりカム作用で弾性脚を拡開させるカム部にて構成しておくことができる。
【００１８】
また本発明では、リテーナの抜止脚を軸直角方向にリテーナ保持部内部に挿入させる貫通の窓部をリテーナ保持部に設けるとともに、第３掛止爪を軸方向に突出した形態で設け、その窓部の、第３掛止爪の突出側の縁部の一部を第３掛止部として構成する。
【００１９】
第３掛止爪を軸直角方向の向きに突出する形態で設けることも可能であるが、この場合、対応した第３掛止部をリテーナ保持部側に設けようとすると複雑な構造となってしまう。
しかるに第３掛止爪を軸方向に突出する形態で設けておくことにより、抜止脚をリテーナ保持部の内部に挿入するための貫通の窓部の縁部の一部を第３掛止部として簡単に構成することが可能となり、第３掛止部を設けるために構造が特に複雑化してしまうといった問題も生じない。
【００２０】
この場合において抜止脚は、軸方向に弾性を有する弾性脚となしておくとともに、上記窓部には第３掛止爪の突出側とは反対側に、抜止脚を軸方向に弾性させることによってリテーナ保持部の内部に挿入させる、抜止脚の弾性変形空間を形成しておくことができる（請求項２）。
このようにしておけば、抜止脚に設けた第３掛止爪を容易に窓部を通過してリテーナ保持部の内部に挿入することができる。
【００２１】
更にこの場合において、第３掛止爪には、窓部の縁部への当接により抜止脚をカム作用で第３掛止爪の突出方向とは反対方向に弾性変形させるカム部を設けておくことができる（請求項３）。
このようにすれば、更に容易に第３掛止爪及びこれを設けた抜止脚を、窓部を通じてリテーナ保持部の内部に挿入することが可能となる。
【発明を実施するための最良の形態】
【００２２】
次に本発明の実施形態を図面に基づいて詳しく説明する。
図１〜図４において、１０は配管用チューブ（以下単にチューブと略す）を接続すべき金属製又は樹脂製の相手パイプ（ここでは樹脂製）で、先端から所定距離離れた位置の外周面に環状に突出した鍔状部１２を有している。
１４はクイックコネクタ（ここでは樹脂製）で、コネクタ本体１６とリテーナ１８とを有している。
コネクタ本体１６は、全体として筒状且つエルボ状を成しており、軸方向の一方の側にチューブ接続部としてのニップル部２０を有し、また他方の側にリテーナ保持部２２を備えたコネクタハウジング２４を有している。
【００２３】
ニップル部２０の外周面には、軸方向に沿って断面鋸歯状を成し先端が鋭角を成す複数の環状突起２６が設けられている。
これら環状突起２６は、ニップル部２０をチューブの内部に圧入したときにチューブの内面に食い込んでチューブの抜止めをなす。
尚このニップル部２０の付根には、チューブへのニップル部２０の圧入量を規定するフランジ部２８が設けられている。
一方コネクタハウジング２４は軸端（図中左端）に開口３０を備えており、またその内部にはシールリングとしての一対のＯリング３２が、樹脂製の中間リング３４及びブッシュ３６とともに保持されている。
これらＯリング３２は、コネクタハウジング２４内部に挿入された相手パイプ１０の外周面に弾性接触して、コネクタハウジング２４と相手パイプ１０との間を気密にシールする。
【００２４】
リテーナ保持部２２には、一対のフランジ部３８が設けられていて、それら一対のフランジ部３８の間に嵌込溝４０が形成されており、そこにリテーナ１８が装着され保持されている。
相手パイプ１０は、コネクタハウジング２４内部に接続位置まで挿入され、その状態でリテーナ１８により抜け止めされる。
【００２５】
詳しくは、相手パイプ１０は鍔状部１２がコネクタハウジング２４内部に保持されたブッシュ３６の軸端面（図中左端面）に当る位置まで挿入され、その状態でリテーナ１８における後述の抜止脚４４が、鍔状部１２の挿入側とは反対側の後面（図中左面）に当接することで、かかる抜止脚４４によって図中左方向への抜けが防止される。
【００２６】
図９及び図１０に、上記リテーナ１８の構成が具体的に示してある。
図に示しているように、リテーナ１８は全体として略門形をなす部材で、基部４２と、基部４２から軸直角方向に延び出した一対の抜止脚４４、更にそれら抜止脚４４の外側において基部４２から抜止脚４４と同じ方向に延び出した一対の弾性脚４６を有している。
ここで一対の抜止脚４４は、図２（Ｂ）に示しているようにリテーナ１８を、リテーナ保持部２２において軸直角方向に押込位置（嵌込完了位置）まで押し込んだ状態で、相手パイプ１０の鍔状部１２の後面に当接し、相手パイプ１０のコネクタハウジング２４からの抜止めをなす。
一方、一対の弾性脚４６はリテーナ保持部２２を外周面から抱きかかえるようにして弾性的に把持する部分で、互いに接近し又は離間する方向に、軸直角方向に弾性的に拡開又は収縮変形可能とされている。
これら一対の弾性脚４６の端部には、互いに内向きに突出した爪４８が一体に形成されている。
【００２７】
図４〜図７は、リテーナ１８をリテーナ保持部２２に軸直角方向に装着し、且つその軸直角方向においてリテーナ１８を後退位置に位置させた状態を表している。
これらの図に示しているように、リテーナ１８はこの後退位置において一対の弾性脚４６のそれぞれの端部に設けられた爪４８が、リテーナ保持部２２に設けられた掛止部（第１掛止部）５０に対し、リテーナ４２の押込方向に掛止することで、押込移動が阻止された状態に保持される。即ち図中下向きの押込みが阻止された状態にリテーナ保持部２２に保持される。
これら爪４８はまた、リテーナ保持部２２の掛止部（第３掛止部）５２に対しても図中上向きに掛止した状態となり、爪４８の掛止部５２に対する掛止作用によって、リテーナ１８が図中上向き、即ちリテーナ保持部２２から軸直角方向外方に抜け出すのが防止される。
【００２８】
即ちこの実施形態において、爪４８は第１掛止爪としての機能，第３掛止爪としての機能を有している。
但し本実施形態において爪４８は、第３掛止爪としての機能を有しないものとして構成しておくこともできる。即ち爪４８に、リテーナ１８の抜け防止のための爪としての機能を無くしておくことができる。
尚、リテーナ保持部２２におけるこれら掛止部５０，５２は、図４に示しているように正面形状が鉤形形状に形成された貫通の窓部５４の縁部にて構成されている。
【００２９】
一方図８は、リテーナ１８を押込位置まで軸直角方向に押し込んだ状態を表しており、このとき、リテーナ１８における一対の弾性脚４６のそれぞれの爪４８は、リテーナ保持部２２に設けられた掛止部（第２掛止部）５６に対し図中上向き、即ち後退位置に向けて掛止した状態となり、この掛止作用によって、リテーナ１８の後退位置に向けての移動が阻止される。即ちリテーナ１８が爪４８の掛止部５６に対する掛止作用によって、嵌込完了位置である押込位置に保持される。
【００３０】
このように本実施形態では、リテーナ１８を後退位置から押込位置への移動を阻止する第１掛止爪５０と、リテーナ１８の押込位置から後退位置に向けての移動を阻止する第２掛止爪５６と、更に後退位置においてリテーナ１８を軸直角方向外方に抜け防止するための第３掛止爪５２とが爪４８に一体に構成されている。
但し抜け防止のための第３掛止爪５２としての働きは、本実施形態では無くすことができる点は上記した通りである。
【００３１】
尚後退位置にあるリテーナ１８を押込位置まで押し込む際、爪４８の下面に設けたカム部５８と（図９参照）、リテーナ保持部２２に設けたガイド部６０（図７参照）との案内作用で、爪４８が円滑にガイド部６０のガイド面６２上を摺動し、リテーナ１８が一対の弾性脚４６を拡開状態に維持しつつ押込位置までスライド移動する。
【００３２】
ここでガイド部６０のガイド面６２は、正面形状が山形状を成しており、その頂部Ｐを境としてガイド面６２の上部と下部とが互いに逆向きに湾曲ないし傾斜させられている。
一対のガイド面６２は、頂部Ｐより上側の部分が頂部Ｐから上向きに進むにつれて互いに接近する形状の面とされ、また下部が頂部Ｐから図中下向きに離れるにつれて互いに接近する形状の面とされている。
【００３３】
従ってリテーナ１８を後退位置から押込位置まで押し込む際、爪４８が頂部Ｐに至るまでは、リテーナ１８は一対の弾性脚４６を押し広げながら図中下向きに移動し、そして変曲点となるＰを過ぎたところで、今度は逆向きに一対の弾性脚４６を互いに収縮させながら下向きに移動する。
【００３４】
従ってリテーナ１８を図中下向きに押し込む際、爪４８が頂部Ｐに至るまではガイド面６２の作用及び一対の弾性脚４６の弾性収縮作用でリテーナ１８が後退位置に向けて戻ろうとし、また一方爪４８が頂部Ｐを乗り越えた後は、同じくガイド面６２の作用及び一対の弾性脚４６の弾性収縮作用によって、リテーナ１８がばね力で自然に押込位置まで移動しようとする。
【００３５】
爪４８にはまた、図９及び図１０に詳しく示しているようにその前面（図中左面）にもカム部（掛止解除部）６４が設けられている。
このカム部６４は、リテーナ１８が図４〜図７に示す後退位置にある状態で相手パイプ１０を挿し込んだとき、相手パイプ１０の鍔状部１２の前面に当接してカム作用で一対の弾性脚４６を押し開き、爪４８の上記掛止部５０に対する掛止を解除するもので（このとき掛止部５２に対する爪４８の掛止も同時に解除される）、この状態でリテーナ１８を図中下向き、即ち押込位置への押込みが可能となる。
【００３６】
図９に示しているように、本実施形態では一対の抜止脚４４の端部にも爪６６が設けられている。
この爪６６は、後退位置にあるリテーナ１８が軸直角方向外方に抜けるのを防止するための第３掛止爪としてのものである。
詳しくはこの実施形態の場合、図５に示しているようにリテーナ１８が後退位置にある状態で、爪６６がリテーナ保持部２２に設けられた掛止部（第３掛止部）７０に掛止することで、リテーナ１８が軸直角方向の外方に抜け防止される。
【００３７】
この後退位置において、相手パイプ１０がコネクタハウジング２４内部に挿し込まれると、一対の弾性脚４６は、その端部に設けられた爪４８におけるカム部６４の鍔状部１２に対する当接によるカム作用で押し広げられ、爪４８の掛止部５０に対する掛止が解除される。
従って一対の抜止脚４４に爪６６が設けられていないと、リテーナ１８はこの状態で軸直角方向外方に抜き出し可能となってしまう。
ところがこの実施形態では、相手パイプ１０の鍔状部１２によって変形を受けない一対の抜止脚４４に、リテーナ１８の軸直角方向外方への抜止めのための爪６６が設けられているため、相手パイプ１０をコネクタハウジング２４内部に挿し込んだ状態においても、リテーナ１８は軸直角方向外方に抜け出すことはなく、押込方向の移動だけが許容される。
【００３８】
図９に示しているようにこの実施形態において、抜止脚４４の爪６６は軸方向（図５及び図６中左方向）に突出する形態で設けられている。
この爪６６を掛止させるリテーナ保持部２２側の掛止部７０は、図６に示しているようにリテーナ保持部２２に設けられた貫通の窓部７２の縁部（図１２，図１３参照）にて構成されている。
ここで掛止部７０は、爪６６の上面の平坦な形状に対応して平坦形状に形成されている。
窓部７２は、リテーナ１８をリテーナ保持部２２に対して軸直角方向に装着する際、一対の抜止脚４４の挿入窓部となるもので、抜止脚４４の爪６６は、この窓部７２を通過してリテーナ保持部２２内部に挿入される。
このとき、抜止脚４４は図１６に示しているように軸方向（図中右方）に弾性変形することによって、爪６６を窓部７２に対して通過させる。
その爪６６の窓部７２に対する通過を円滑に行うため、爪６６には図９中左側の面にカム部６８が設けられている。
【００３９】
爪６６は、窓部７２を通過する際にカム部６８を窓部７２の縁部に当接させ、その際のカム部６８のカム作用で抜止脚４４が図１６中右方に弾性変形することで、円滑に窓部７２を通過してリテーナ保持部２２内部に入り込むことができる。
【００４０】
而して抜止脚４４は、窓部７２が幅広部７４（図１１（Ｂ）参照）を有していて、爪６６の後側（図中右側）に弾性変形空間が確保されているため、窓部７２内部に挿入される際、円滑に同方向に弾性変形し得て、爪６６を窓部７２を通過して内部に挿入させることができる。
而して窓部７２を通過してリテーナ保持部２２の内部に挿入された爪６６は、その時点で抜止脚４４の弾性復元力で掛止部７０対し掛止した状態となる。
【００４１】
図１４〜図１８は本実施形態におけるリテーナ１８の装着の手順及びリテーナ１８の作用を示している。
図１４及び図１５に示しているように、本実施形態ではリテーナ１８をリテーナ保持部２２に対し軸直角方向に嵌込装着する。このとき一対の弾性脚４６を、図５，図６，図１１及び図１３の窓部５４からリテーナ保持部２２内に挿入し、また一対の抜止脚４４を、リテーナ保持部２２の窓部７２からその内部に挿入する。
このとき一対の抜止脚４４は、図１６に示しているように爪６６に設けたカム部６８の作用、更に抜止脚４４の軸方向の弾性変形に基づいて、窓部７２からリテーナ保持部２２内部に挿入される。
このようにしてリテーナ保持部２２に装着したリテーナ１８を、図１７（Ｉ）に示しているように当初は後退位置に保持させておく。
この後退位置においてリテーナ１８は、軸直角方向の押込方向にも、また図中上方の抜出方向にも移動阻止された状態となる。
【００４２】
この状態で相手パイプ１０をコネクタハウジング２４の内部に挿入すると、相手パイプ１０の鍔状部１２と一対の弾性脚４６の爪４８のカム部６４との当接作用で、一対の弾性脚４６が弾性的に拡開し、相手パイプ１０を更に奥深くまで、詳しくはコネクタハウジング２４内部に保持されたブッシュ３６の軸端面に当接する位置まで（接続位置まで）挿し込み可能となる。即ち相手パイプ１０を接続位置まで更に挿し込み可能となる（図１７（II））。
【００４３】
而して相手パイプ１０が接続位置まで挿入されたところで、次に図１８に示しているように、後退位置にあるリテーナを軸直角方向に押し込んで（図１８（III））、嵌込完了位置である押込位置に位置させる。
この状態で一対の抜止脚４４が、相手パイプ１０の鍔状部１２の後面に当接した状態となって、ここに相手パイプ１０がコネクタハウジング２４から抜け止めされる（図１８（IV））。
【００４４】
以上のような本実施形態によれば、相手パイプ１０の挿入完了状態でリテーナ１８を押込位置まで押込可能とするために弾性脚４６の爪４８が掛止部５０に対し掛止解除された場合においても、抜止脚４４の爪６６が掛止部７０に掛止状態に保持される。
従ってリテーナ１８を押込位置まで押込可能となす一方で、反対方向への抜けを確実に防止することができる。
【００４５】
また本実施形態では、抜止脚４４の爪６６を軸方向に突出した状態で設け、そして抜止脚４４を軸直角方向にリテーナ保持部２２内部に挿入させるための貫通の窓部７２の、爪６６の突出側の縁部の一部を掛止部７０として構成しているため、簡単に掛止部７０を構成することができ、掛止部７０を設けるために構造が特に複雑化してしまうといった問題も生じない。
【００４６】
また抜止脚４４の弾性変形空間としての幅広部７４が窓部７２に形成してあるため、抜止脚４４に設けた爪６６を、容易に窓部７２を通過してリテーナ保持部２２の内部に挿入することができる。
【００４７】
更にこの場合において爪６６には、窓部７２の縁部への当接により抜止脚４４をカム作用で爪６６の突出方向とは反対方向に弾性変形させるカム部６８が設けてあるため、より容易に爪６６及びこれを設けた抜止脚４４を、窓部７２を通じてリテーナ保持部２２の内部に挿入することができる。
【００４８】
以上本発明の実施形態を詳述したが、これはあくまで一例示である。
例えば上記実施形態ではリテーナ１８が一対の弾性脚４６にてリテーナ保持部２２の外周面を抱きかかえるようにしてリテーナ保持部２２に保持されるようになしてあるが、本発明は一対の弾性脚をリテーナ保持部の内部、即ちコネクタハウジングの内部に挿入し且つ内周壁に沿って軸直角方向に押し込んで、その押込位置に保持させる形式のクイックコネクタに対して適用することも可能であるし、また場合によって一対の弾性脚を軸方向に弾性変形させつつリテーナを軸直角方向に押し込んで、その押込位置に保持させるようになすクイックコネクタに適用することも可能である等、本発明はその趣旨を逸脱しない範囲において種々変更を加えた形態で構成可能である。
【図面の簡単な説明】
【００４９】
【図１】本発明の一実施形態のクイックコネクタを相手パイプとの接続状態で示す斜視図である。
【図２】図１のクイックコネクタの一部を切り欠いて示す図である。
【図３】同実施形態におけるクイックコネクタを相手パイプとの接続前の状態で示す斜視図である
【図４】図３の一部を切り欠いて示す図である。
【図５】同実施形態においてリテーナを後退位置に保持させた状態を示す斜視図である。
【図６】同実施形態においてリテーナ装着前の状態を示す図である。
【図７】同実施形態においてリテーナを後退位置に保持させたときの弾性脚及び抜止脚の状態を示す一部切欠図である。
【図８】同実施形態においてリテーナ押込位置での弾性脚及び抜止脚の状態を示す一部切欠図である。
【図９】同実施形態におけるリテーナの単品の斜視図である。
【図１０】図９のリテーナの正面図，背面図，側面図である。
【図１１】同実施形態におけるコネクタ本体の図である。
【図１２】図１１のコネクタ本体の正面図である。
【図１３】図１１のコネクタ本体を下方から見た斜視図である。
【図１４】同実施形態の作用説明図である。
【図１５】図１４に続く作用説明図である。
【図１６】同実施形態における抜止脚の挿入時の作用説明図である。
【図１７】図１５に続く作用説明図である。
【図１８】図１７に続く作用説明図である。
【図１９】従来のクイックコネクタの図である。
【符号の説明】
【００５０】
１０  相手パイプ
１２  鍔状部
１４  クイックコネクタ
１６  コネクタ本体
１８  リテーナ
２０  ニップル部
２２  リテーナ保持部
２４  コネクタハウジング
４２  基部
４４  抜止脚
４６  弾性脚
４８，６６  爪
５０  掛止部（第１掛止部）
５２  掛止部（第３掛止部）
５４，７２  窓部
５６  掛止部（第２掛止部）
５８，６８  カム部
６４  カム部（掛止解除部）
７０  掛止部
７４  幅広部
【図１】
0004759421.tif 000002
【図２】
0004759421.tif 000003
【図３】
0004759421.tif 000004
【図４】
0004759421.tif 000005
【図５】
0004759421.tif 000006
【図６】
0004759421.tif 000007
【図７】
0004759421.tif 000008
【図８】
0004759421.tif 000009
【図９】
0004759421.tif 000010
【図１０】
0004759421.tif 000011
【図１１】
0004759421.tif 000012
【図１２】
0004759421.tif 000013
【図１３】
0004759421.tif 000014
【図１４】
0004759421.tif 000015
【図１５】
0004759421.tif 000016
【図１６】
0004759421.tif 000017
【図１７】
0004759421.tif 000018
【図１８】
0004759421.tif 000019
【図１９】
0004759421.tif 000020